(57)【要約】【課題】  使用寿命が長い黒板ふきクリーナーを提供する。  【解決手段】  本体と、該本体の内部に設けられる集塵袋と吸気装置と、該本体の一側に枢設される上カバーと、を備え、該本体の上面に気体進入口が形成され、該集塵袋は、本体の内部に設置される袋本体を有し、該袋本体の上縁に該気体進入口に設置するカバーが設けられ、該カバーに複数の下気体進入孔が形成され、該上カバーにカバーの下気体進入孔と対応且つ連通する上気体進入孔が形成されることを特徴とする。【選択図】  図２
0003129652.tif 000002
【実用新案登録請求の範囲】
【請求項１】
本体と、該本体の内部に設けられる集塵袋と吸気装置と、該本体の一側に枢設される上カバーと、を備え、
該本体の上面に気体進入口が形成され、
該集塵袋は、本体の内部に設置される袋本体を有し、該袋本体の上縁に該気体進入口に設置するカバーが設けられ、該カバーに複数の下気体進入孔が形成され、
該上カバーにカバーの下気体進入孔と対応且つ連通する上気体進入孔が形成されることを特徴とする黒板ふきクリーナー。
【請求項２】
前記気体進入口の内側縁に係止凸縁が設けられ、該カバーは、固定リングとカバープレートを有し、該固定リングは、袋本体の上周縁と結合されると共に、係止凸縁に位置決められ、その内周縁に縁部が設けられ、該カバープレートは、該縁部に位置決められると共に、中央に突出部が設けられ、前記下気体進入孔が該突出部に形成され、
前記上気体進入孔の下周縁に下方へ伸びるガイドリングが設けられ、各ガイドリングの下縁が該下気体進入孔の上部と接触され、
前記カバープレートに突出部の前後側に位置する取手溝が形成され、
前記本体の上部に封閉プレートが設けられ、前記気体進入口が該封閉プレートの前側に形成され、該封閉プレートの前端に回転自在な位置決めブロックが設けられ、該位置決めブロックの上側が封閉プレートの前側から伸びだすことにより、上カバーを封閉プレートと係合し、該位置決めブロックの下方後側が気体進入口の前側と接触し、
前記固定リング上部の後側に弾性リングが設けられ、前記上カバーの底面に固定リングの弾性リングと対応すると共に、下方へ伸びる位置決めリングが設けられ、又、該上カバーの底面に取手溝と対応する位置決めプレートが設けられ、
前記上気体進入孔と下気体進入孔は三つであると共に、中央の上気体進入孔にブレードが設けられることを特徴とする請求項１に記載の黒板ふきクリーナー。
【請求項３】
前記吸気装置は、モータを有し、該モータの前端が集塵袋へ向かうと共に、該前端にシールリングが設けられ、前記本体の内部における集塵袋と吸気装置との間にフィルターが設けられ、該フィルターはリング状のカバー体を有し、内部にろ過網が設けられ、該カバー体の後側が該シールリングの前端と連結され、
前記カバー体の前側にろ過網設置部が形成され、該ろ過網設置部の内部に複数の貫通孔を有する離間プレートが設けられ、該ろ過網が離間プレートと結合されると共に、ろ過網設置部の内部に位置され、該ろ過網設置部の後側に該シールリングと連結するリング状の連結部が設けられ、
前記本体の内部にカバー体と対応する微動スイッチが設けられ、該微動スイッチにカバー体と接触可能なスイッチが設けられ、該カバー体の後側に連結孔が形成され、該本体の内部にカバー体の連結孔と対応するフィルターセンサーが設けられ、該フィルターセンサーは、パイプ状のセンサーを有し、その底部に右側へ伸びる連結パイプが設けられ、該連結パイプがカバー体の内部と連通され、又、センサーは、左側の中央に窓孔が形成されると共に、内部に、円柱形の浮きブロックとスプリングが設けられ、該浮きブロックは、異なる色を有する上浮きブロックと下浮きブロックからなり、該下浮きブロックは窓孔と位置あわせ、該本体の左側に該窓孔と対応する警示孔が形成されることを特徴とする請求項２に記載の黒板ふきクリーナー。
【考案の詳細な説明】
【技術分野】
【０００１】
本考案は、特に使用寿命が長い黒板ふきクリーナーに関するものである。
【背景技術】
【０００２】
図１２に示すように、従来の黒板ふきクリーナーは、吸気モータ（Ｃ）を有し、該吸気モータ（Ｃ）が、本体（Ａ）の上部に形成される上気体進入口（Ｉ）を通じて吸気し、粉塵が該上気体進入口（Ｉ）を通じて集塵袋（Ｇ）に集中することにより、黒板ふきに付着した粉塵を除去する。
【考案の開示】
【考案が解決しようとする課題】
【０００３】
しかしながら、従来の黒板ふきクリーナーにおける集塵袋（Ｇ）の開口が大きいため、既に集塵袋（Ｇ）に集塵させた粉塵が吸気の気流により外部へ飛散し、クリーナーの周りを汚染してしまうという問題があった。
【０００４】
又、従来の黒板ふきクリーナーは、吸気モータ（Ｃ）の前側における気体進入口（Ｆ）に濾過装置が設けられていないため、集塵袋（Ｇ）を設置しない時や、粉塵が外部へ飛散する場合、該粉塵が吸気モータ（Ｃ）に吸入されることにより、吸気モータ（Ｃ）の使用寿命を縮めるといった問題があった。
【０００５】
そこで、案出されたのが本考案であって、使用寿命が長い黒板ふきクリーナーを提供することを目的としている。
【課題を解決するための手段】
【０００６】
本願の請求項１の考案は、本体と、該本体の内部に設けられる集塵袋と吸気装置と、該本体の一側に枢設される上カバーと、を備え、
該本体の上面に気体進入口が形成され、
該集塵袋は、本体の内部に設置される袋本体を有し、該袋本体の上縁に該気体進入口に設置するカバーが設けられ、該カバーに複数の下気体進入孔が形成され、
該上カバーにカバーの下気体進入孔と対応且つ連通する上気体進入孔が形成されることを特徴とする黒板ふきクリーナー、を提供する。  
本願の請求項２の考案は、前記気体進入口の内側縁に係止凸縁が設けられ、該カバーは、固定リングとカバープレートを有し、該固定リングは、袋本体の上周縁と結合されると共に、係止凸縁に位置決められ、その内周縁に縁部が設けられ、該カバープレートは、該縁部に位置決められると共に、中央に突出部が設けられ、前記下気体進入孔が該突出部に形成され、
前記上気体進入孔の下周縁に下方へ伸びるガイドリングが設けられ、各ガイドリングの下縁が該下気体進入孔の上部と接触され、
前記カバープレートに突出部の前後側に位置する取手溝が形成され、
前記本体の上部に封閉プレートが設けられ、前記気体進入口が該封閉プレートの前側に形成され、該封閉プレートの前端に回転自在な位置決めブロックが設けられ、該位置決めブロックの上側が封閉プレートの前側から伸びだすことにより、上カバーを封閉プレートと係合し、該位置決めブロックの下方後側が気体進入口の前側と接触し、
前記固定リング上部の後側に弾性リングが設けられ、前記上カバーの底面に固定リングの弾性リングと対応すると共に、下方へ伸びる位置決めリングが設けられ、又、該上カバーの底面に取手溝と対応する位置決めプレートが設けられ、
前記上気体進入孔と下気体進入孔は三つであると共に、中央の上気体進入孔にブレードが設けられることを特徴とする請求項１に記載の黒板ふきクリーナー、を提供する。
【０００７】
本願の請求項３の考案は、前記吸気装置は、モータを有し、該モータの前端が集塵袋へ向かうと共に、該前端にシールリングが設けられ、前記本体の内部における集塵袋と吸気装置との間にフィルターが設けられ、該フィルターはリング状のカバー体を有し、内部にろ過網が設けられ、該カバー体の後側が該シールリングの前端と連結され、
前記カバー体の前側にろ過網設置部が形成され、該ろ過網設置部の内部に複数の貫通孔を有する離間プレートが設けられ、該ろ過網が離間プレートと結合されると共に、ろ過網設置部の内部に位置され、該ろ過網設置部の後側に該シールリングと連結するリング状の連結部が設けられ、
前記本体の内部にカバー体と対応する微動スイッチが設けられ、該微動スイッチにカバー体と接触可能なスイッチが設けられ、該カバー体の後側に連結孔が形成され、該本体の内部にカバー体の連結孔と対応するフィルターセンサーが設けられ、該フィルターセンサーは、パイプ状のセンサーを有し、その底部に右側へ伸びる連結パイプが設けられ、該連結パイプがカバー体の内部と連通され、又、センサーは、左側の中央に窓孔が形成されると共に、内部に、円柱形の浮きブロックとスプリングが設けられ、該浮きブロックは、異なる色を有する上浮きブロックと下浮きブロックからなり、該下浮きブロックは窓孔と位置あわせ、該本体の左側に該窓孔と対応する警示孔が形成されることを特徴とする請求項２に記載の黒板ふきクリーナー、を提供する。
【考案の効果】
【０００８】
本考案は上記の課題を解決するものであり、モータと集塵袋との間に粉塵を濾過するフィルターが設けられので、粉塵のモータへの進入を防止でき、又、上カバーと封閉プレートに気密構造が設けられるので、粉塵の外部への飛散を防止することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る黒板ふきクリーナーのオープン状態を示す斜視図であり、図２は本考案に係る黒板ふきクリーナーの分解斜視図であり、図３は本考案に係る黒板ふきクリーナーの集塵袋の分解斜視図であり、図４は本考案に係る黒板ふきクリーナーの断面図であり、図５は本考案に係る黒板ふきクリーナーの部分拡大断面図であり、図６は本考案に係る黒板ふきクリーナーにおける吸気装置及びフィルターの分解斜視図であり、図７は本考案に係る黒板ふきクリーナーの平面図であり、図８は本考案に係る黒板ふきクリーナーの断面図であり、図９は本考案に係る黒板ふきクリーナーにおけるフィルターセンサーの断面図であり、図１０は本考案に係る黒板ふきクリーナーにおけるフィルターセンサーの作動図であり、図１１は本考案に係る黒板ふきクリーナーにおける封閉プレート、集塵袋及びフィルターの抜け状態を示す平面図である。
【００１１】
図１乃至図９に示すように、本考案に係る黒板ふきクリーナーは、本体（１０）と、該本体（１０）の内部に設けられる集塵袋（２０）と、該本体（１０）の内部に設けられる吸気装置（３０）と、該本体（１０）の内部に設けられると共に、該集塵袋（２０）と吸気装置（３０）との間に位置されるフィルター（４０）と、該本体（１０）の一側に枢設される上カバー（５０）と、を備える。
【００１２】
前記本体（１０）は、長方形を呈し、下ケース（１１）と封閉プレート（１２）からなり、該下ケース（１１）両内側の中央に夫々左取付プレート（１４）と右取付プレート（１３）が設けられることにより、下ケース（１１）の内部を前から後へ夫々集塵袋収容部（１５）、フィルター収容部（１６）及び吸気装置収容部（１７）に分け、該フィルター収容部（１６）は、左取付プレート（１４）と右取付プレート（１３）との間に位置されると共に、後側に中央に円孔（１８１）を有する離間プレート（１８）が設けられる。
【００１３】
図７に示すように、前記右取付プレート（１３）に複数の平行なプレートが設けられると共に、上部に嵌合溝（１３１）が形成され、該嵌合溝（１３１）の内部に微動スイッチ（１３２）が設けられ、該微動スイッチ（１３２）にフィルター収容部（１６）へ延伸するスイッチ（１３３）が設けられることにより、本考案に係るクリーナーのオフ又はオンを制御する。
【００１４】
前記左取付プレート（１４）は、四方形の柱形を呈し、内部に収容部（１４３）が形成されると共に、フィルター収容部（１６）に対応する一面に該収容部（１４３）と連通する設置部（１４１）が形成され、収容部（１４３）の内部にセンサー（１９１）を有するフィルターセンサー（１９）が設けられ、該センサー（１９１）は、円形パイプを呈し、その底部に右側へ伸びる連結パイプ（１９２）が設けられ、該連結パイプ（１９２）が設置部（１４１）を通じてフィルター収容部（１６）に延伸され、図９に示すように、該連結パイプ（１９２）がカバー体（４１）の内部と連通され、又、センサー（１９１）は、左側の中央に窓孔（１９３）が形成されると共に、内部に、円柱形の浮きブロック（１９４）とスプリング（１９５）が設けられ、該浮きブロック（１９４）は、異なる色を有する上浮きブロック（１９４１）と下浮きブロック（１９４２）からなり、該下浮きブロック（１９４２）は窓孔（１９３）と位置あわせ、又、該本体（１０）の左側に該窓孔（１９３）と対応する警示孔（１４２）が形成される。
【００１５】
図８に示すように、該下ケース（１１）の底部中央にフィルター収容部（１６）へ伸びる係合プレート（１１１）が設けられる。前記封閉プレート（１２）は、長方形を呈し、上面の後側に枢設部（１２１）が形成されると共に、前側に集塵袋収容部（１５）と対応する四方形の気体進入口（１２２）が形成され、該気体進入口（１２２）の内側縁に係止凸縁（１２３）が設けられ、又、該封閉プレート（１２）の下面中央にフィルター収容部（１６）へ伸びると共に、係合プレート（１１１）の前方に位置する係合部（１２４）が設けられる。
【００１６】
又、図２に示すように、該封閉プレート（１２）の前端に回転自在な位置決めブロック（１２５）が設けられ、該位置決めブロック（１２５）の上側が封閉プレート（１２）の前側から伸びだすことにより、上カバー（５０）を封閉プレート（１２）と係合する。該位置決めブロック（１２５）の下方後側が気体進入口（１２２）の前側と接触することにより、集塵袋（２０）からの押圧を受けると共に、上カバー（５０）をスムーズに封閉プレート（１２）と係合することができる。
【００１７】
前記集塵袋（２０）は、該集塵袋収容部（１５）に設けられると共に、上方へ開口する袋本体（２１）を有し、該袋本体（２１）の上縁にカバー（２２）が設けられ、該カバー（２２）は、固定リング（２２１）とカバープレート（２２２）を有し、該固定リング（２２１）は、矩形を呈すると共に、下部が袋本体（２１）の上縁と結合され、この固定リング（２２１）が気体進入口（１２２）の係止凸縁（１２３）に位置決められる。
【００１８】
図３に示すように、前記固定リング（２２１）上部の後側に弾性リング（２２１１）が設けられると共に、内側にリング状の縁部（２２１２）が設けられる。前記カバープレート（２２２）は、矩形を呈すると共に、周縁が縁部（２２１２）に位置決められ、中央に長方形の突出部（２２２１）が設けられ、該突出部（２２２１）に三つの下気体進入孔（２２２２）が形成され、又、突出部（２２２１）と下気体進入口（２２２２）の周縁との間に嵌合溝（２２２３）が形成され、該嵌合溝（２２２３）に突出部（２２２１）の形状と対応するシールパッド（２２２４）が設けられ、又、カバープレート（２２２）に突出部（２２２１）の前後側に位置する取手溝（２２２５）が形成され、該取手溝（２２２５）によってカバープレート（２２２）を簡単に固定リング（２２１）から取り上げることができる。
【００１９】
図８に示すように、前記吸気装置（３０）は、該吸気装置収容部（１７）に設置されるモータ（３１）を有し、該モータ（３１）の前端が集塵袋（２０）へ向かうと共に、該前端に接触面（３２１）を有する円形のシールリング（３２）が設けられ、該シールリング（３２）の内径が円孔（１８１）の内径より小さく、外周縁が円孔（１８１）の内縁と接触する。
【００２０】
図７に示すように、前記フィルター（４０）は、該フィルター収容部（１６）に設けられるものであり、前側に矩形のろ過網設置部（４１１）が設けられるカバー体（４１）を有し、該ろ過網設置部（４１１）の右側にスイッチ（１３３）と対応する押圧ブロック（４１１１）が設けられることにより、該スイッチを連動させ、又、該ろ過網設置部（４１１）の内部にろ過網（４２）が設けられると共に、後側にリング状の連結部（４１２）が設けられ、該連結部（４１２）の端部が接触面（３２１）の内周縁と接触すると共に、左側に連結パイプ（１９２）と対応する連結孔（４１２１）が形成される。
【００２１】
又、図８示すように、前記ろ過網設置部（４１１）は、後端縁に複数の貫通孔（４１３１）を有する離間プレート（４１３）が設けられると共に、前面がろ過網（４２）と結合される。前記カバー体（４１）は、ろ過網設置部（４１１）の底部によって係合プレート（１１１）の上縁と接触されると共に、その底部に係合プレート（１１１）と対応しながら、下方へ伸びる側プレート（４１１２）が設けられ、該側プレート（４１１２）が係合プレート（１１１）の後面と接触され、該ろ過網設置部（４１１）の上部に係合部（１２４）に向かって伸びる弾性プレート（４１１３）が設けられ、該弾性プレート（４１１３）の自由端に係合部（１２４）を係合するための係合溝（４１１４）が形成されることにより、カバー体（４１）をフィルター収容部（１６）に位置決めする。
【００２２】
又、図１に示すように、前記上カバー（５０）は、該封閉プレート（１２）の形状と対応し、その後端に下方へ伸びる枢設部材（５１）が設けられ、該枢設部材（５１）は枢設部（１２１）に枢設することにより、上カバー（５０）を本体（１０）の上部に枢設させる。
【００２３】
図５に示すように、該上カバー（５０）は、上面に凹部（５２）が形成され、該凹部（５２）の前側に下気体進入孔（２２２２）と対応する三つの上気体進入孔（５３）が形成され、中央の上気体進入孔（５３）にブレード（５４）が設けられ、各上気体進入孔（５３）の下周縁に下方へ伸びるガイドリング（５３１）が設けられ、各ガイドリング（５３１）の下縁がシールパッド（２２２４）と密接されることにより、上気体進入孔（５３）と下気体進入孔（２２２２）を連通させる。
【００２４】
前記上カバー（５０）は、底面に固定リング（２２１）の弾性リング（２２１１）と対応すると共に、下方へ伸びる矩形の位置決めリング（５５）が設けられることにより、優れた気密効果を達成する。
【００２５】
図１に示すように、該上カバー（５０）の底面に取手溝（２２２５）と対応する位置決めプレート（５６）が設けられることにより、上カバー（５０）を本体（１０）に閉合する際の位置決め効果を提供する。
【００２６】
本考案に係る黒板ふきクリーナーを使用する場合、先ず吸気装置（３０）を起動し、この吸気装置（３０）によって本体（１０）の気体進入口（１２２）から吸気し、粉塵を付いた黒板ふきを上カバー（５０）の凹部（５２）に往復移動すると、ブレード（５４）によって該粉塵を黒板ふきから落ちて、上気体進入孔（５３）から本体（１０）の内部に吸入させる。
【００２７】
前記上気体進入孔（５３）と下気体進入孔（２２２２）との間にガイドリング（５３１）とシールパッド（２２２４）が設けられることにより、粉塵が下気体進入孔（２２２２）を通じて直接に袋本体（２１）に集中されるので、外側へ飛散せず、集塵袋（２０）周囲のクリーンを維持することができる。又、該固定リング（２２１）に設けられる弾性リング（２２１１）が位置決めリング（５５）との配合により、優れた気密効果を達成できるので、粉塵を外側へ飛散することはない。
【００２８】
更に、前記吸気装置（３０）の前端にフィルター（４０）が設けられ、該フィルター（４０）のろ過網（４２）により、モータ（３１）に吸い込んだ空気を濾過することができるので、粉塵をモータ（３１）に進入せず、モータ（３１）の使用寿命を延長することができる。又、該モータ（３１）とフィルター（４０）との間にシールリング（３２）が設けられるので、更に優れる防塵効果を達成できる。
【００２９】
本考案に係る黒板ふきクリーナーにおける集塵袋（２０）をクリーンする場合、先ず上カバー（５０）を開け、集塵袋（２０）を本体（１０）から取り出し、取手溝（２２２５）によってカバープレート（２２２）を固定リング（２２１）から取り上げ、袋本体（２１）における粉塵を除去した後、該集塵袋（２０）を気体進入口（１２２）から本体（１０）の内部に置き込み、上カバー（５０）を再び本体（１０）と閉合するだけでよい。又、該上カバー（５０）に位置決めプレート（５６）が設けられるので、集塵袋（２０）の設置方向が間違う際、直ちに判断できる。
【００３０】
又、前記フィルター（４０）の傍に設けられるフィルターセンサー（１９）は、ろ過網（４２）又は集塵袋（２０）の状態を感知することにより、ろ過網（４２）と集塵袋（２０）の更新タイミングを掌握できる。図１０に示すように、ろ過網（４２）と集塵袋（２０）の更新を要する際、気体が窓孔（１９３）から本体（１０）内部へ進入しながら、連結パイプ（１９２）を通じてカバー体（４１）に吸気されると、浮きブロック（１９４）を下方へ移動し、常に窓孔（１９３）に位置する下浮きブロック（１９４２）の代わりに、異色の上浮きブロック（１９４１）が窓孔（１９３）に位置することにより、ろ過網（４２）と集塵袋（２０）の更新タイミングを掌握できる。
【００３１】
又、図１１に示すように、フィルター（４０）をフィルター収容部（１６）に設置しない場合、微動スイッチ（１３２）のスイッチ（１３３）は、フィルター（４０）の押圧ブロック（４１１１）に押圧されないので、モータ（３１）を起動できないので、モータ（３１）の使用寿命を延長することができる。
【産業上の利用可能性】
【００３２】
本考案は上記の構成を有し、モータと集塵袋との間に粉塵を濾過するフィルターが設けられので、粉塵のモータへの進入を防止でき、又、上カバーと封閉プレートに気密構造が設けられるので、粉塵の外部への飛散を防止することができる。
【図面の簡単な説明】
【００３３】
【図１】本考案に係る黒板ふきクリーナーのオープン状態を示す斜視図である。
【図２】本考案に係る黒板ふきクリーナーの分解斜視図である。
【図３】本考案に係る黒板ふきクリーナーの集塵袋の分解斜視図である。
【図４】本考案に係る黒板ふきクリーナーの断面図である。
【図５】本考案に係る黒板ふきクリーナーの部分拡大断面図である。
【図６】本考案に係る黒板ふきクリーナーにおける吸気装置及びフィルターの分解斜視図である。
【図７】本考案に係る黒板ふきクリーナーの平面図である。
【図８】本考案に係る黒板ふきクリーナーの断面図である。
【図９】本考案に係る黒板ふきクリーナーにおけるフィルターセンサーの断面図である。
【図１０】本考案に係る黒板ふきクリーナーにおけるフィルターセンサーの作動図である。
【図１１】本考案に係る黒板ふきクリーナーにおける封閉プレート、集塵袋及びフィルターの抜け状態を示す平面図である。
【図１２】従来の黒板ふきクリーナーの断面図である。
【符号の説明】
【００３４】
Ａ          本体 
Ｂ          緩衝パッド
Ｃ          吸気モータ  
Ｄ          シールリング
Ｅ          固定リング  
Ｆ          気体進入口
Ｇ          集塵袋   
Ｈ          排気口
Ｉ          上気体進入口  
Ｊ          上カバー
１０        本体   
１１        下ケース
１１１      係合プレート  
１２        封閉プレート
１２１      枢設部   
１２２      気体進入口
１２３      係止凸縁  
１２４      係合部
１２５      位置決めブロック 
１３        右取付プレート
１３１      嵌合溝   
１３２      微動スイッチ
１３３      スイッチ  
１４        左取付プレート
１４１      設置部   
１４２      警示孔
１４３      収容部   
１５        集塵袋収容部
１６        フィルター収容部 
１７        吸気装置収容部
１８        離間プレート  
１８１      円孔
１９        フィルターセンサー 
１９１      センサー
１９２      連結パイプ  
１９３      窓孔
１９４      浮きブロック  
１９４１    上浮きブロック
１９４２    下浮きブロック 
１９５      スプリング
２０        集塵袋   
２１        袋本体
２２        カバー   
２２１      固定リング
２２１１    弾性リング  
２２１２    縁部
２２２      カバープレート 
２２２１    突出部
２２２２    下気体進入孔  
２２２３    嵌合溝
２２２４    シールパッド  
２２２５    取手溝
３０        吸気装置  
３１        モータ
３２        シールリング  
３２１      接触面
４０        フィルター  
４１        カバー体
４１１      ろ過網設置部  
４１１１    押圧ブロック
４１１２    側プレート  
４１１３    弾性プレート
４１１４    係合溝   
４１２      連結部
４１２１    連結孔   
４１３      離間プレート
４１３１    貫通孔   
４２        ろ過網
５０        上カバー  
５１        枢設部材
５２        凹部   
５３        上気体進入孔
５３１      ガイドリング  
５４        ブレード
５５        位置決めリング 
５６        位置決めプレート
【図１】
0003129652.tif 000003
【図２】
0003129652.tif 000004
【図３】
0003129652.tif 000005
【図４】
0003129652.tif 000006
【図５】
0003129652.tif 000007
【図６】
0003129652.tif 000008
【図７】
0003129652.tif 000009
【図８】
0003129652.tif 000010
【図９】
0003129652.tif 000011
【図１０】
0003129652.tif 000012
【図１１】
0003129652.tif 000013
【図１２】
0003129652.tif 000014